(57)【要約】【課題】ボウル部の前方側領域に配置されるリム吐水口における尿石の発生を抑制することができる水洗大便器を提供する。【解決手段】本発明の水洗大便器１は、ボウル形状の汚物受け面１４と、上縁部に形成されたリム部１６と、を備えたボウル部８と、リム部からボウル部内に洗浄水を吐水するリム吐水口２６と、リム部内を上記リム吐水口まで延びるリム導水路３０と、を有し、リム吐水口２６は、ボウル部８の前方側領域に配置され、リム吐水口２６の上部の外側コーナー２６ａの曲率半径が、その上部の内側コーナー２６ｂの曲率半径より大きい。【選択図】図７
2019044428.tif 000002
【特許請求の範囲】
【請求項１】
洗浄水源から供給される洗浄水により洗浄されて汚物を排出する水洗大便器であって、
ボウル形状の汚物受け面と、上縁部に形成されたリム部と、を備えたボウル部と、
上記リム部から上記ボウル部内に洗浄水を吐水するリム吐水口と、
上記リム部内を上記リム吐水口まで延びるリム導水路と、を有し、
上記リム吐水口は、上記ボウル部の前方側領域に配置され、上記リム吐水口の上部の外側コーナーの曲率半径が、その上部の内側コーナーの曲率半径より大きいことを特徴とする水洗大便器。
【請求項２】
上記リム吐水口の上記上部の外側コーナーの曲率半径は、その下部の内側コーナーの曲率半径より大きい、請求項１記載の水洗大便器。
【請求項３】
上記リム吐水口の上記上部の外側コーナーの曲率半径は、上記リム導水路の入口部分の上部の外側コーナーの曲率半径より大きい、請求項１又は２に記載の水洗大便器。
【請求項４】
上記リム部は、上記リム吐水口から前方側に向かって、その上縁部が内方へ突出するオーバーハングした形状のオーバーハング部を備え、上記オーバーハング部の曲率半径が、上記リム吐水口の上記上部の外側コーナーの曲率半径から徐々に大きくなるように形成される、請求項１乃至３の何れか１項に記載の水洗大便器。
【請求項５】
上記リム吐水口の上記上部の外側コーナーの曲率半径は、６ｍｍ〜１５ｍｍの範囲に形成される、請求項１乃至４の何れか１項に記載の水洗大便器。
【発明の詳細な説明】
【技術分野】
【０００１】
本発明は、水洗大便器に係り、特に、洗浄水源から供給される洗浄水により洗浄されて汚物を排出する水洗大便器に関する。
【背景技術】
【０００２】
従来から、特許文献１に記載されているように、水洗大便器において、ボウル部の前方側領域のリム部にリム吐水口が設けられたものが知られている。
【先行技術文献】
【特許文献】
【０００３】
【特許文献１】特許５５８５９４４号公報
【発明の概要】
【発明が解決しようとする課題】
【０００４】
しかしながら、上述した特許文献１に記載されている従来の水洗大便器においては、リム吐水口がボウル部の前方側領域に設けられているので、座った状態で排尿する使用者の尿がリム吐水口の上部の外側コーナーまでリム部に沿って上昇するようにして付着し、リム吐水口に尿石が付着する恐れがあるという新たな知見が得られた。
【０００５】
また、リム吐水口がボウル部の前方側領域に設けられている場合においては、使用者からリム吐水口を見えにくくするため、リム吐水口がリム部のオーバーハング部の内側に形成されている。よって、リム吐水口の上部の外側コーナーの曲率半径がオーバーハング部に沿って比較的小さく形成され、使用者の尿が付着した状態で残留しやすいという問題がある。また、リム吐水口の上部の外側コーナーは、リム吐水口から吐水される洗浄水によって洗浄されにくい部分であるため、使用者の尿が付着した状態で残留しやすいという問題がある。
【０００６】
さらに、尿が付着した場合に、リム吐水口の上部の外側コーナーの曲率半径が比較的小さいため、掃除用具や清掃者の手指に沿わせた掃除用の布やシート等を、外側コーナー部分に挿入できず、付着した尿の清掃及び除去、さらに発生した尿石を清掃及び除去することができないという問題が生じる。発生した尿石は、さらなる尿石の発生に繋がる環境を生じさせるため、新たな尿石の発生を抑制するためには尿石を十分に清掃及び除去することが必要となる。
【０００７】
そこで、本発明は、上述した従来技術の問題点を解決するためになされたものであり、尿がリム吐水口の上部の外側コーナーに付着した状態で残留することを抑制することができると共に、この上部の外側コーナーの清掃性を高めることができ、ボウル部の前方側領域に配置されるリム吐水口における尿石の発生を抑制することができる水洗大便器を提供することを目的としている。
【課題を解決するための手段】
【０００８】
上述した目的を達成するために、本発明は、洗浄水源から供給される洗浄水により洗浄されて汚物を排出する水洗大便器であって、ボウル形状の汚物受け面と、上縁部に形成されたリム部と、を備えたボウル部と、上記リム部から上記ボウル部内に洗浄水を吐水するリム吐水口と、上記リム部内を上記リム吐水口まで延びるリム導水路と、を有し、上記リム吐水口は、上記ボウル部の前方側領域に配置され、上記リム吐水口の上部の外側コーナーの曲率半径が、その上部の内側コーナーの曲率半径より大きいことを特徴としている。
このように構成された本発明においては、ボウル部の前方側領域に配置されるリム吐水口の上部の外側コーナーの曲率半径が、その上部の内側コーナーの曲率半径より大きい。これにより、リム吐水口において、リム吐水口の上部の外側コーナーの曲率半径が内側コーナーの曲率半径より大きくなるように構成されているため、洗浄水がリム吐水口の外側壁面から外側コーナーの上部まで広がりやすく、リム吐水口の上部の外側コーナーの洗浄性を向上させることができる。よって、洗浄時に、洗浄水がリム吐水口の上部の外側コーナーを通過しやすくすることができ、尿がリム吐水口の上部の外側コーナーに付着した状態で残留することを抑制することができる。また、本発明によれば、この上部の外側コーナーを清掃者の手指に沿わせた掃除用の布やシート等により掃除しやすくでき、この上部の外側コーナーの清掃性を高めることができる。従って、本発明によれば、ボウル部の前方側領域に配置されるリム吐水口における尿石の発生を抑制することができる。さらに、本発明によれば、尿石が外側コーナーに発生した場合には、清掃者の手指上に沿わせた掃除用の布やシート等により力を入れて掃除することができ、尿石を確実に清掃及び除去することができる。
【０００９】
本発明において、好ましくは、上記リム吐水口の上記上部の外側コーナーの曲率半径は、その下部の内側コーナーの曲率半径より大きい。
このように構成された本発明においては、リム吐水口の上部の外側コーナーの曲率半径が、その下部の内側コーナーの曲率半径より大きい。これにより、洗浄水により洗浄されやすいリム吐水口の下部において内側コーナーの曲率半径を小さくしてリム吐水口の下部の内側コーナーに洗浄水が広がり難く構成するとともに、リム吐水口の上部の外側コーナーの曲率半径をその下部の内側コーナーの曲率半径よりも大きくしてリム吐水口の上部の外側コーナーに洗浄水が広がりやすく構成している。よって、本発明によれば、尿がリム吐水口の上部の外側コーナーに付着した状態で残留することをより抑制することができる。また、本発明によれば、この上部の外側コーナーを清掃者の手指に沿わせた掃除用の布やシート等により掃除しやすくでき、この上部の外側コーナーの清掃性をより高めることができる。従って、本発明によれば、ボウル部の前方側領域に配置されるリム吐水口における尿石の発生をより抑制することができる。
【００１０】
本発明において、好ましくは、上記リム吐水口の上記上部の外側コーナーの曲率半径は、上記リム導水路の入口部分の上部の外側コーナーの曲率半径より大きい。
このように構成された本発明においては、リム吐水口の上部の外側コーナーの曲率半径を、リム導水路の入口部分の上部の外側コーナーの曲率半径より大きい。これにより、洗浄水が入口部分からリム吐水口に向かうにつれて上部の外側コーナーに沿って流れやすく且つリム吐水口の上部の外側コーナーを洗浄しやすくすることができる。よって、本発明によれば、尿がリム吐水口の上部の外側コーナーに付着した状態で残留することをより抑制することができる。従って、本発明によれば、ボウル部の前方側領域に配置されるリム吐水口における尿石の発生をより抑制することができる。
【００１１】
本発明において、好ましくは、上記リム部は、上記リム吐水口から前方側に向かって、その上縁部が内方へ突出するオーバーハングした形状のオーバーハング部を備え、上記オーバーハング部の曲率半径が、上記リム吐水口の上記上部の外側コーナーの曲率半径から徐々に大きくなるように形成される。
このように構成された本発明においては、オーバーハング部の曲率半径が、リム吐水口から徐々に大きくなるので、洗浄水が表面に沿って広がりながら洗浄しやすくなり、尿がオーバーハング部に付着した状態で残留することをより抑制することができると共に、オーバーハング部を清掃者の手指に沿わせた掃除用の布やシート等により掃除しやすくすることができる。従って、本発明によれば、リム吐水口近傍のオーバーハング部の清掃性をより向上させ、尿石の発生をより抑制することができる。さらに、本発明によれば、リム吐水口から前方に向かうにつれ、オーバーハング部の清掃性をより向上させ、リム吐水口近傍の尿石の発生をより抑制することができる。
【００１２】
本発明において、好ましくは、上記リム吐水口の上記上部の外側コーナーの曲率半径は、６ｍｍ〜１５ｍｍの範囲に形成される。
このように構成された本発明においては、リム吐水口の上部の外側コーナーを、６ｍｍ以上の曲率半径に形成することにより、清掃者の手指に沿わせた掃除用の布やシート等を外側コーナーに沿って手指とともに挿入することができ、尿を拭き取りやすくすることができる。一方で、この上部の外側コーナーが大きくなりすぎると、上部の内側コーナーを狭めることになるため、上部の外側コーナーを、上部の内側コーナーの曲率半径を減少させないような１５ｍｍ以下の曲率半径に形成する。これにより、上部の内側コーナーの曲率半径が小さくなることによるリム吐水口からの吐水が阻害される影響を抑制することができる。よって、本発明によれば、リム吐水口の上部の外側コーナーの曲率半径を６ｍｍ〜１５ｍｍの範囲に形成することで、リム吐水口の清掃性と、吐水の阻害の抑制とを両立することができる。
【発明の効果】
【００１３】
本発明の水洗大便器によれば、ボウル部の前方側領域に配置されるリム吐水口における尿石の発生を抑制することができる。
【図面の簡単な説明】
【００１４】
【図１】本発明の一実施形態による水洗大便器を示す概略斜視図である。
【図２】本発明の一実施形態による水洗大便器において便座及び便蓋を省略した状態の側面断面図である。
【図３】本発明の一実施形態による水洗大便器の便器本体を示す平面図である。
【図４】本発明の一実施形態による水洗大便器のリム吐水口を内側から見た部分拡大斜視図である。
【図５】ボウル部の中心点とリム導水路の入口部分とを結ぶＶ−Ｖ線に沿って見たリム導水路の入口部分の断面図である。
【図６】左右方向の中心線Ａ２に沿って見たリム導水路の断面図である。
【図７】ボウル部の中心点とリム吐水口とを結ぶＶＩＩ−ＶＩＩ線に沿って見たリム吐水口の断面図である。
【図８】ＶＩＩＩ−ＶＩＩＩ線に沿って見たリム部の断面図である。
【図９】ＩＸ−ＩＸ線に沿って見たリム部の断面図である。
【図１０】前後方向の中心線Ａ１に沿って見たリム部の断面図である。
【図１１】ＸＩ−ＸＩ線に沿って見たリム部の断面図である。
【発明を実施するための形態】
【００１５】
以下、本発明の一実施形態による水洗大便器について添付図面を参照して説明する。
図１は本発明の一実施形態による水洗大便器を示す概略斜視図である。以下、本発明の一実施形態における説明において、水洗大便器１を使用する使用者側（水洗大便器１を使用するために水洗大便器１の前に立っている使用者側）から見て手前側を前方側とし、使用者から見て奥側を後方側とし、水洗大便器１を前方から見て右側を右側とし、前方から見て左側を左側として説明している。
【００１６】
図１に示すように、本発明の一実施形態による水洗大便器１は、ボウル部内の水の落差による流水作用で汚物を押し流す、いわゆる、洗い落し式の水洗大便器であり、陶器製の便器本体２と、この便器本体２の上面に配置された便座（図示せず）を覆う便蓋４と、便器本体２の後部に取り付けられ、便器洗浄に使用される洗浄水を貯水して便器本体２へ給水する洗浄水源である重力給水式の貯水タンク６とを備えている。
なお、水洗大便器１については、例として、洗い落し式の水洗大便器について説明したが、サイホン作用を利用してボウル部内の汚物を吸い込んで排水トラップ管路から一気に外部に排出する、いわゆる、サイホン式の水洗大便器であってもよい。
なお、便器本体２へ洗浄水を供給する洗浄水源としては、本実施形態で示した重力給水式の貯水タンク６のようなタンク式のものに限定されず、水道水の給水圧を直接利用した水道直圧式のものや、フラッシュバルブ式のものや、ポンプの補圧を利用して洗浄水を供給するものであってもよい。
【００１７】
図２は本発明の一実施形態による水洗大便器において便座及び便蓋を省略した状態の側面断面図であり、図３は本発明の一実施形態による水洗大便器の便器本体を示す平面図である。
図２及び図３に示すように、便器本体２の前方上部にはボウル部８が形成されている。
また、便器本体２の後方上部には、貯水タンク６から供給された洗浄水をボウル部８に吐水する導水路１０が形成されている。
さらに、ボウル部８の下方には、ボウル部８内の汚物を排出する排水路である排水トラップ管路１２が形成されている。
【００１８】
ボウル部８は、ボウル形状の汚物受け面１４と、ボウル部８の上縁部に沿って形成されたリム部１６と、これら汚物受け面１４とリム部１６との間に形成された棚部１８を備えている。
【００１９】
また、ボウル部８は、汚物受け面１４よりも下方の領域に形成されて排水トラップ管路１２に接続される凹部２０を備えている。ボウル部８の左右方向を二等分する中心線Ａ１（図３参照）に対して便器本体２の前方側から見て凹部２０の左側の左側壁面２０ａにはゼット吐水口２２が形成されている。このゼット吐水口２２は、導水路１０の共通導水路１１から分岐したゼット導水路２８に接続されている。
【００２０】
また、ボウル部８の汚物受け面１４の凹部２０の後方且つ下方には、上述した排水トラップ管路１２の入口１２ａが開口し、この入口１２ａから上昇路１２ｂが後方に延びている。この上昇路１２ｂには下降路１２ｃが連続し、下降路１２ｃの下端は排水ソケット２４を介して床下の排出管（図示せず）に接続されている。
【００２１】
導水路１０は、貯水タンク６の排水口６ａに接続される入口部からボウル部８の背面側近傍まで延びる共通導水路１１と、この共通導水路１１のボウル部８の背面側近傍においてそれぞれ分岐するゼット導水路２８とリム導水路３０を備えている。
【００２２】
リム導水路３０は、ボウル部８の背面側近傍で共通導水路１１から分岐し、中心線Ａ１に対して左側に位置するリム部１６の内部に沿って前方へ延び、リム吐水口２６まで延びている。
【００２３】
ゼット導水路２８は、ボウル部８の背面側近傍で共通導水路１１から分岐し、中心線Ａ１に対して便器本体２の前方側から見て凹部２０の左側壁面２０ａの外側を迂回するように前方へ延び、凹部２０の左側壁面２０ａに形成されたゼット吐水口２２まで延びている。リム吐水口２６は、ゼット吐水口２２より前側に形成されている。
【００２４】
つぎに、図３〜図１１を参照して、水洗大便器１のボウル部８のリム部１６及びリム吐水口２６について詳細に説明する。
図４は本発明の一実施形態による水洗大便器のリム吐水口を内側から見た部分拡大斜視図であり、図５はボウル部の中心点Ｃとリム導水路の入口部分とを結ぶＶ−Ｖ線に沿って見たリム導水路の入口部分の断面図であり、図６は左右方向の中心線Ａ２に沿って見たリム導水路の断面図であり、図７はボウル部の中心点Ｃとリム吐水口とを結ぶＶＩＩ−ＶＩＩ線に沿って見たリム吐水口の断面図であり、図８はＶＩＩＩ−ＶＩＩＩ線に沿って見たリム部の断面図であり、図９はＩＸ−ＩＸ線に沿って見たリム部の断面図であり、図１０は前後方向の中心線Ａ１に沿って見たリム部の断面図であり、図１１はＸＩ−ＸＩ線に沿って見たリム部の断面図である。
図３に示すように、ボウル部８は、このボウル部８の左右方向に延びた中心線Ａ２によりボウル部８を前後方向に二等分される前方側領域Ｆと後方側領域Ｒを備えている。また、中心線Ａ１と中心線Ａ２との交点をボウル部８の中心点Ｃとして示している。
【００２５】
リム吐水口２６は、ボウル部８の前方側領域Ｆに配置されている。リム吐水口２６は、ボウル部８を前後方向に三等分したうちの最も前方側領域、より好ましくは、ボウル部８を前後方向に四等分したうちの最も前方側領域内に配置されている。リム吐水口２６は、リム部１６の前端部１６ａに向けて開口され、洗浄水を前端部１６ａに向けて吐水させるようになっている。リム吐水口２６は、前方側領域Ｆに配置され、オーバーハング部１６ｃの内側に隠れるように配置されているので、使用者からリム吐水口２６を見えにくくすることができ、使用者への美観をよくすることができる。
【００２６】
図７に示すように、リム吐水口２６は、その内部通水路の四角の部分を、その上部の外側コーナー２６ａと、その上部の内側コーナー２６ｂと、その下部の外側コーナー２６ｄと、その下部の内側コーナー２６ｃとにより形成されている。各コーナーは円弧状の壁面を形成している。リム吐水口２６は、図７の断面図においても示されるように、リム吐水口２６の上部の外側コーナー２６ａの曲率半径が、その上部の内側コーナー２６ｂの曲率半径より大きい。また、リム吐水口２６の上部の外側コーナー２６ａの曲率半径は、その下部の内側コーナー２６ｃの曲率半径より大きい。さらに、リム吐水口２６の上部の外側コーナー２６ａの曲率半径は、リム導水路３０の入口部分３０ｅの上部の外側コーナー３０ａ（図５参照）の曲率半径より大きい。また、リム吐水口２６の上部の外側コーナー２６ａの曲率半径は、図６に示すようなリム導水路３０の中間部分３０ｆの上部の外側コーナー３０ａの曲率半径より大きい。
リム吐水口２６はボウル部８の前方側領域Ｆに設けられ、前方側領域Ｆにおいてはリム部１６が前端に向けて緩やかに屈曲するように形成されている。このため、リム吐水口２６を通過する洗浄水は、遠心力の作用によりリム吐水口２６の外側壁面２６ｅに押し付けられる。したがって、外側壁面２６ｅに押し付けられた洗浄水は上方に広がりつつ、ボウル部８へ供給される。このとき、リム吐水口２６において、リム吐水口２６の上部の外側コーナー２６ａの曲率半径が内側コーナー２６ｂの曲率半径より大きくなるように構成されているため、洗浄水がリム吐水口２６の外側壁面２６ｅから外側コーナー２６ａの上部まで広がりやすくなっている。
【００２７】
リム吐水口２６の上部の外側コーナー２６ａの曲率半径が、比較的大きいので、尿が外側コーナー２６ａ内に付着しにくくすることができ、また、付着した状態のまま残りにくい。さらに、仮に尿が一端付着したとしても洗浄水により洗浄されやすく、尿が外側コーナー２６ａ内に付着した状態で残留することを抑制することができる。
また、外側コーナー２６ａの曲率半径が、リム導水路３０の入口部分３０ｅ及び中間部分３０ｆの外側コーナー３０ａの曲率半径よりも大きいので、洗浄水がリム吐水口２６に向かうに連れて外側コーナー２６ａに広がって流れやすくなる。よって、洗浄水が入口部分３０ｅからリム吐水口２６に向かうにつれて上部の外側コーナー２６ａに沿って流れやすく且つリム吐水口の上部の外側コーナー２６ａを洗浄しやすくすることができる。
【００２８】
リム導水路３０の外側コーナー３０ａの曲率半径は、入口部分３０ｅから中間部分３０ｆまでほぼ一定である。リム導水路３０の外側コーナー３０ａの曲率半径は、中間部分３０ｆからリム吐水口２６まで徐々に大きく形成される。リム吐水口２６の上部の外側コーナー２６ａの曲率半径は、リム導水路３０のいずれの部分の外側コーナー３０ａの曲率半径よりも大きい。
【００２９】
ボウル部８のリム部１６は、リム吐水口２６から前方側に向ってリム部１６の前端部１６ａ付近までの部分の上縁部１６ｂが局所的に内方へ突出するオーバーハングした形状に形成されたオーバーハング部１６ｃを備え、このオーバーハング部１６ｃにより、リム吐水口２６の上方が覆われるようになっている。
また、ボウル部８のリム部１６は、オーバーハング部１６ｃ以外の内周面の領域がほぼ鉛直方向に立ち上がる形状となっている立ち上がり部１６ｄを備えている。リム部１６の立ち上がり部１６ｄはほぼ鉛直方向に立ち上がる形状に形成されているので、尿が付着したとしても、洗浄水が洗浄しやすく、且つ便器本体２を清掃しようとする清掃者の手指に沿わせた掃除用の布や掃除用シート等により拭き取りやすくなっている。
【００３０】
オーバーハング部１６ｃの内側も円弧状のコーナー形状を形成している。オーバーハング部１６ｃのコーナー形状は、外側コーナー２６ａから連続して形成されている。オーバーハング部１６ｃの曲率半径が、前方側に向かうにつれて、リム吐水口２６の上部の外側コーナー２６ａの曲率半径から徐々に大きくなるように形成される。図８〜図１０に示すように、オーバーハング部１６ｃの上部の外側コーナー１６ｅの曲率半径は、リム吐水口２６の上部の外側コーナー２６ａの曲率半径より大きくなっている。また、図８及び図９に示すように、図９に示すオーバーハング部１６ｃの上部の外側コーナー１６ｅの曲率半径は、図８に示すオーバーハング部１６ｃの上部の外側コーナー１６ｅの曲率半径より大きい。
リム吐水口２６の上部の外側コーナー２６ａの曲率半径は、６ｍｍ〜１５ｍｍの範囲、より好ましくは６ｍｍ〜１０ｍｍの範囲に形成される。人間の平均的な手指の太さを考慮して、リム吐水口２６の上部の外側コーナー２６ａの曲率半径が、６ｍｍ未満である場合、清掃者の手指上の掃除用の布やシート等を手指とともに湾曲に沿って押し込むことができない程外側コーナー２６ａの曲率半径が、小さくなっていると判断される。リム吐水口２６の上部の外側コーナー２６ａの曲率半径を、６ｍｍ以上に形成しているので、清掃者の手指上の掃除用の布やシート等を外側コーナー２６ａに沿って挿入することができ、外側コーナー２６ａを力を入れた状態で拭き取りやすくなっている。このように、外側コーナー２６ａを清掃者の手指に沿わせた掃除用の布やシート等により直接拭いて及び力を入れて清掃できることにより、外側コーナー２６ａに付着した尿や尿石を比較的綺麗に除去することができる。よって、外側コーナー２６ａに尿が付着した状態で残留することを抑制することができ、尿石の発生を抑制することができる。
【００３１】
上述した本発明の一実施形態による水洗大便器１によれば、ボウル部８の前方側領域Ｆに配置されるリム吐水口２６の上部の外側コーナー２６ａの曲率半径が、その上部の内側コーナー２６ｂの曲率半径より大きい。これにより、リム吐水口２６において、リム吐水口２６の上部の外側コーナー２６ａの曲率半径が内側コーナー２６ｂの曲率半径より大きくなるように構成されているため、洗浄水がリム吐水口２６の外側壁面２６ｅから外側コーナー２６ａの上部まで広がりやすく、リム吐水口２６の上部の外側コーナー２６ａの洗浄性を向上させることができる。よって、洗浄時に、洗浄水がリム吐水口２６の上部の外側コーナー２６ａを通過しやすくすることができ、尿がリム吐水口２６の上部の外側コーナー２６ａに付着した状態で残留することを抑制することができる。また、この上部の外側コーナー２６ａを清掃者の手指に沿わせた掃除用の布やシート等により掃除しやすくでき、この上部の外側コーナー２６ａの清掃性を高めることができる。従って、本発明によれば、ボウル部８の前方側領域Ｆに配置されるリム吐水口２６における尿石の発生を抑制することができる。さらに、本発明によれば、尿石が外側コーナー２６ａに発生した場合には、清掃者の手指上に沿わせた掃除用の布やシート等により力を入れて掃除することができ、尿石を確実に清掃及び除去することができる。
【００３２】
また、本実施形態による水洗大便器１によれば、リム吐水口２６の上部の外側コーナー２６ａの曲率半径が、その下部の内側コーナー２６ｃの曲率半径より大きい。これにより、洗浄水により洗浄されやすいリム吐水口２６の下部において内側コーナー２６ｃの曲率半径を小さくしてリム吐水口２６の下部の内側コーナー２６ｃに洗浄水が広がり難く構成するとともに、リム吐水口２６の上部の外側コーナー２６ａの曲率半径をその下部の内側コーナー２６ｃの曲率半径よりも大きくしてリム吐水口２６の上部の外側コーナー２６ａに洗浄水が広がりやすく構成している。よって、本発明によれば、尿がリム吐水口２６の上部の外側コーナー２６ａに付着した状態で残留することをより抑制することができる。また、本発明によれば、この上部の外側コーナー２６ａを清掃者の手指に沿わせた掃除用の布やシート等により掃除しやすくでき、この上部の外側コーナー２６ａの清掃性をより高めることができる。従って、本発明によれば、ボウル部８の前方側領域Ｆに配置されるリム吐水口２６における尿石の発生をより抑制することができる。
【００３３】
さらに、本実施形態による水洗大便器１によれば、リム吐水口２６の上部の外側コーナー２６ａの曲率半径を、リム導水路３０の入口部分３０ｅの上部の外側コーナー３０ａの曲率半径より大きい。これにより、洗浄水が入口部分３０ｅからリム吐水口２６に向かうにつれて上部の外側コーナーに沿って流れやすく且つリム吐水口２６の上部の外側コーナー２６ａを洗浄しやすくすることができる。よって、本発明によれば、尿がリム吐水口２６の上部の外側コーナー２６ａに付着した状態で残留することをより抑制することができる。従って、本発明によれば、ボウル部８の前方側領域Ｆに配置されるリム吐水口２６における尿石の発生をより抑制することができる。
【００３４】
また、本実施形態による水洗大便器１によれば、オーバーハング部１６ｃの曲率半径が、リム吐水口２６から徐々に大きくなるので、洗浄水が表面に沿って広がりながら洗浄しやすくなり、尿がオーバーハング部１６ｃに付着した状態で残留することをより抑制することができると共に、オーバーハング部１６ｃを清掃者の手指に沿わせた掃除用の布やシート等により掃除しやすくすることができる。従って、本発明によれば、リム吐水口２６近傍のオーバーハング部１６ｃの清掃性をより向上させ、尿石の発生をより抑制することができる。さらに、本発明によれば、リム吐水口２６から前方に向かうにつれ、オーバーハング部１６ｃの清掃性をより向上させ、リム吐水口２６近傍の尿石の発生をより抑制することができる。
【００３５】
さらに、本実施形態による水洗大便器１によれば、リム吐水口２６の上部の外側コーナー２６ａを、６ｍｍ以上の曲率半径に形成することにより、清掃者の手指に沿わせた掃除用の布やシート等を外側コーナーに沿って手指とともに挿入することができ、尿を拭き取りやすくすることができる。一方で、この上部の外側コーナー２６ａが大きくなりすぎると、上部の内側コーナー２６ｂを狭めることになるため、上部の外側コーナー２６ａを、上部の内側コーナー２６ｂの曲率半径を減少させないような１５ｍｍ以下の曲率半径に形成する。これにより、上部の内側コーナー２６ｂの曲率半径が小さくなることによるリム吐水口２６からの吐水が阻害される影響を抑制することができる。よって、本発明によれば、リム吐水口２６の上部の外側コーナー２６ａの曲率半径を６ｍｍ〜１５ｍｍの範囲に形成することで、リム吐水口２６の清掃性と、吐水の阻害の抑制とを両立することができる。
【符号の説明】
【００３６】
１            水洗大便器
２            便器本体
４            便蓋
６            貯水タンク
６ａ          排水口
８            ボウル部
１０          導水路
１１          共通導水路
１２          排水トラップ管路
１２ａ        入口
１２ｂ        上昇路
１２ｃ        下降路
１４          汚物受け面
１６          リム部
１６ａ        前端部
１６ｂ        上縁部
１６ｃ        オーバーハング部
１６ｄ        立ち上がり部
１６ｅ        外側コーナー
１８          棚部
２０          凹部
２０ａ        左側壁面
２２          ゼット吐水口
２４          排水ソケット
２６          リム吐水口
２６ａ        上部の外側コーナー
２６ｂ        上部の内側コーナー
２６ｃ        下部の内側コーナー
２６ｄ        下部の外側コーナー
２６ｅ        外側壁面
２８          ゼット導水路
３０          リム導水路
３０ａ        外側コーナー
３０ｅ        入口部分
３０ｆ        中間部分
Ａ１          中心線
Ａ２          中心線
Ｃ            中心点
Ｆ            前方側領域
Ｒ            後方側領域
【図１】
2019044428.tif 000003
【図２】
2019044428.tif 000004
【図３】
2019044428.tif 000005
【図４】
2019044428.tif 000006
【図５】
2019044428.tif 000007
【図６】
2019044428.tif 000008
【図７】
2019044428.tif 000009
【図８】
2019044428.tif 000010
【図９】
2019044428.tif 000011
【図１０】
2019044428.tif 000012
【図１１】
2019044428.tif 000013